(57)【要約】  本開示は、スタータリレーを用いて燃焼エンジンのスタータを駆動する方法に関し、このスタータリレーは、スタータに車載網を介して電力を選択的に供給するように構成されており、本方法は、燃焼エンジンの故障状態を検出する工程と、スタータリレーの複数回の駆動を開始する工程と、燃焼エンジンのその時々の状態が少なくとも一つの故障状態又は少なくとも一つの動作状態を表すとして、燃焼エンジンのその時々の状態を検出する工程と、その時々の状態が少なくとも一つの動作状態を表す場合に、スタータリレーの複数回の駆動を終了し、そうでない場合に、その時々の状態を新たに検出する工程とを有する。本開示は、更に、制御機器を備えた、燃焼エンジンのスタータを駆動するシステムに関する。
2021529281.tif 000002
【特許請求の範囲】
【請求項１】
スタータリレー（１０２）を用いて燃焼エンジン（１０３）のスタータ（１０５）を駆動する方法（２００）であって、
このスタータリレー（１０２）が、スタータ（１０５）に車載網（１００）を介して選択的に電力を供給するように構成されており、
この方法が、
燃焼エンジン（１０３）の故障状態を検出する工程（２０４）と、
スタータリレー（１０２）の複数回の駆動を開始する工程（２０６）と、
燃焼エンジン（１０３）のその時々の状態が少なくとも一つの故障状態又は少なくとも一つの動作状態を表すとして、燃焼エンジン（１０３）のその時々の状態を検出する工程（２０８）と、
その時々の状態が少なくとも一つの動作状態を表す場合に、スタータリレー（１０２）の複数回の駆動を終了する工程（２１０）、並びに、そうでない場合に、その時々の状態を新たに検出する工程（２０８）と、
を有する方法。
【請求項２】
スタータリレー（１０２）の駆動が、第一の予め決められた時間期間の間スタータリレー（１０２）を閉じることと、次に第二の予め決められた時間期間の間スタータリレー（１０２）を開くこととから成る請求項１に記載の方法。
【請求項３】
スタータリレー（１０２）を初回に駆動する工程を更に有し、スタータリレー（１０２）を初回に駆動する場合の第一の予め決められた時間期間が、３，０００ｍｓまでの範囲内、有利には、５００ｍｓまでの範囲内に有る請求項２に記載の方法。
【請求項４】
スタータリレー（１０２）を複数回駆動する場合の第一の予め決められた時間期間が、１３０ｍｓ〜２３０ｍｓの範囲内、有利には、約１８０ｍｓの範囲内に有る請求項２から３までのいずれか一つに記載の方法。
【請求項５】
スタータリレー（１０２）を複数回駆動する場合の第二の予め決められた時間期間が、１３０ｍｓ〜２３０ｍｓの範囲内、有利には、約１８０ｍｓの範囲内に有る請求項２から４までのいずれか一つに記載の方法。
【請求項６】
燃焼エンジン（１０３）の故障状態又はその時々の状態の検出が、
スタータ（１０５）の電力消費量を検出する工程と、
車載網（１００）の電圧が急落しないことを検出する工程と、
燃焼エンジン（１０３）の回転数を検出する工程と、
負荷オープン障害を検出する工程と、
の中の一つ又は複数に基づき実施される請求項１から５までのいずれか一つに記載の方法。
【請求項７】
燃焼エンジン（１０３）の故障状態の検出が、
スタータ（１０５）の電力消費量がほぼゼロであることに基づき故障状態を検出する工程と、
車載網（１００）の電圧を検出して、期待される電圧急落の欠如を確認する工程と、
車載網（１００）の電圧において、期待される電圧急落よりも小さい電圧急落を検出する工程と、
確認された負荷オープン障害に基づき故障状態を検出する工程と、
燃焼エンジン（１０３）の回転数がほぼゼロであることと、スタータ（１０５）の電力消費量がほぼゼロでないこととに基づき故障状態を検出する工程と、
スタータ（１０５）の電力消費量が、燃焼エンジン（１０３）の正常なスタートプロセス時におけるスタータ（１０５）の標準的な電力消費量よりも著しく大きいことに基づき故障状態を検出する工程と、
の中の一つ又は複数に基づき実施される請求項１から６までのいずれか一つに記載の方法。
【請求項８】
燃焼エンジン（１０３）のその時々の状態が、更に、少なくとも一つの停止状態を表し、この停止状態が、
スタータ（１０５）の複数回の駆動を開始してから、予め決められた時間限界を上回る工程であって、任意選択として、この予め決められた時間限界が１５秒まで、有利には、１０秒までである工程と、
予め決められた時間期間内にスタータ（１０５）の最大駆動回数を上回る工程であって、任意選択として、この最大回数が５０回より少ない、有利には、３０回より少ないことと、この予め決められた時間期間が１５秒より短い、有利には、１０秒より短いこととの中の一つ以上である工程と、
使用者又はエンジン制御部によって、燃焼エンジン（１０３）を始動する要求が取り消される工程と、
燃焼エンジン（１０３）が始動する工程と、
の中の一つ又は複数に基づき検出され、
この方法が、更に、その時々の状態が少なくとも一つの停止状態を表す場合に、スタータリレー（１０２）の複数回の駆動を終了する工程（２１０）を有する、
請求項１から７までのいずれか一つに記載の方法。
【請求項９】
燃焼エンジン（１０３）のスタータ（１０５）を駆動するシステムであって、
制御機器（１０１）と、
電源（１０６，１０７）と、
制御機器（１０１）と接続され、燃焼エンジン（１０３）のスタータ（１０５）に電源（１０６，１０７）からの電力を選択的に供給するように構成されたスタータリレー（１０２）と、
を有し、
この制御機器が、請求項１から８までのいずれか一つに記載の方法を実施するように構成されている、
システム。
【請求項１０】
請求項９に記載のシステムを備えた車両。
【発明の詳細な説明】
【技術分野】
【０００１】
本開示は、スタータを作動する方法及びシステムに関する。本開示は、特に、燃焼エンジンを備えた車両において始動が困難な場合にスタータを作動する方法及びシステムに関する。
【背景技術】
【０００２】
燃焼エンジンを備えた車両は、典型的には、少なくとも一つの吸気サイクル及び圧縮サイクルを実行して、それにより燃焼エンジンを始動できるように、燃焼エンジンを回転させるために使用されるスタータを有する。そのスタータは、典型的には、電気モーターを、特に、車両の電気車載網（特に、車載網電圧が６０Ｖ以下、典型的には、１２Ｖ又は４８Ｖの低ボルト車載網）からの電気エネルギーにより動作する直流モーターを有する。
【０００３】
車両の運転者は、（例えば、車両のスタートボタンによって）車両のイグニッションを作動することができる。それに反応して、一つ又は複数の電気接点が閉じられて、スタータが燃焼エンジンのクランクシャフトを駆動して、それを始動回転数にまで加速させ、その結果、燃焼エンジンを始動することができる。
【０００４】
スタータを作動できないために、車両の燃焼エンジンを始動できないことが起こる可能性がある。その原因に、スタータへの電力供給に関する問題、例えば、スタータリレーの氷結が含まれる可能性が有る。別の場合には、例えば、燃焼エンジンによって駆動される一つ又は複数のコンポーネント（例えば、コンプレッサー、発電機）の腐食に起因する固着によるロックがスタータの始動を妨げる可能性がある。
【０００５】
接点の氷結による機能障害を予防するために、特許文献１に開示されたスタータは、接点表面の中の一つに関して溝輪郭の固定接点と可動接点を使用している。そのような接点接触部の機械的な腐食時に、接点表面上に形成される、場合によっては存在する氷の層を破壊し、それによって、可動接点と固定接点の間の十分な電気接触を保証している。しかし、多くの場合、接点は、小さい衝撃力しか受けず、その結果、特に、より大きな氷結時には、スイッチの作動によって、氷を破壊できず、スタータが始動しない。更に、特殊なスイッチの使用は、コストがかかるか、構造的な変更が要求されるか、或いはその両方である。
【０００６】
特許文献２及び３に開示された別のスタータは、磁石スイッチの接点の周りに配置された加熱電線を利用しており、そのようにして発生させた熱を用いて接点表面上に発生した氷を溶かしている。しかし、そのような熱線を発する加熱電線を備えたスタータは、比較的長い時間を必要とする。そのため、そのような手法では、燃焼エンジンの出来る限り迅速なスタートに係る使用者の要求に対応することができない。更に、その場合、製造コストを高める、加熱装置の電力供給を制御する部品が必要である。
【０００７】
特許文献４により、氷結した接点によって妨害されずにスタータモーターを二段階方式で作動できる特殊な磁石スイッチが周知である。そのために、スタータモーターに電力を供給する磁石スイッチには、スタータモーターを二段階方式で（始めは低い回転数で、次に、高い回転数で）動かすために、二つの固定接点（一つの主固定接点と一つの補助固定接点）が設けられている。発熱する電気抵抗の形の発熱部品が組み込まれて、回転数制御と除氷の両方の役割を同様に果たしている。その特殊な磁石スイッチは、追加の接点と加熱部品が必要であるので、構造的な負担が比較的大きい。更に、その場合でも、氷結が大きい時に、発熱部品の加熱に必要な時間に起因するスタートプロセスの遅延を考慮しなければならない。特許文献４は、場合によってはロック又は固着する燃焼エンジンをスタータモーターの二段階方式の作動に基づき始動できるのか否かに関する記述を提供していない。
【先行技術文献】
【特許文献】
【０００８】
【特許文献１】日本国実用新案出願第５４−８８５６３号明細書
【特許文献２】日本国実用新案出願第５０−９６３５号明細書
【特許文献３】日本国実用新案出願第５１−３２３４２号明細書
【特許文献４】欧州特許公開第０７４４７６１号明細書
【発明の概要】
【発明が解決しようとする課題】
【０００９】
以上のことから、本開示が取り組む技術的な課題は、特に、燃焼エンジンの前記の始動の困難性及び同様の始動の困難性を克服するために、より精密かつより効率的に燃焼エンジンのためのスタータを作動することである。
【００１０】
本開示は、始動の困難性を除去する機能的なアプローチに基づいている。リレー接点を制御して複数回閉じることによって、スタータリレー及び／又はスタータモーターを特別な手法により駆動する。
【００１１】
氷結した場合に、リレー接点を閉じるための一連のパルスが、繰り返し制御された所与のパターンによる閉鎖プロセスにより、機械的にリレー接点を介して氷層に作用することによって、接点上に場合によっては存在する氷層を破壊することができる。
【００１２】
コンポーネントがロックした場合、リレー接点を閉じるための一連のパルスとそれに対応する燃焼エンジンへのスタータモーターの作用が、場合によっては存在するロック又は固着したコンポーネントを解きほぐすことができる。
【００１３】
本課題は、独立請求項によって解決される。有利な実施構成は、特に、従属請求項に記載されている。独立請求項に依存する請求項の追加の特徴が独立請求項の特徴無しに、或いは独立請求項の特徴の部分集合と組み合わせただけで、独立請求項、部分集合又は追加出願の対象を作り出すことができる独自の発明及び独立請求項の全ての特徴の組合せから独立した発明を構成できることを指摘しておきたい。このことは、同じく本明細書に記載された、独立請求項の特徴から独立した発明を構成できる技術的な教示にも言うことができる。
【００１４】
ここで開示する方法及びシステムは、燃焼エンジンのスタートプロセス時の問題を取り除くことができる。
【００１５】
特に、ここで開示する方法及びシステムは、スタータリレー接点の氷結を考慮した条件下において、例えば、低い温度、大きな温度勾配、高い大気湿度の時、激しい降雪又は降雨の影響下、及び／又はエンジン室内の激しい凝結又は湿気の発生時において燃焼エンジンを始動することができる。
【００１６】
更に、ここで開示する方法及びシステムは、燃焼エンジン及び／又はクランクシャフトと動作形態で接続された燃焼エンジンの個々のコンポーネントがスタータの始動を阻止又は妨害する場合に、燃焼エンジンを始動することができる。
【００１７】
本開示の課題は、前記の欠点の中の一つ又は複数を防止するとともに、前記の利点の中の一つ又は複数を実現した、車両においてスタータを作動する方法及びシステム、並びにそのようなシステムを備えた車両を提供することである。
【課題を解決するための手段】
【００１８】
本課題は、独立請求項の各対象によって解決される。有利な実施形態は、従属請求項に規定されている。
【００１９】
本開示の実施構成では、車両においてスタータリレーを用いて燃焼エンジンのスタータを駆動する方法が規定される。このスタータリレーは、スタータに車載網を介して選択的に電力を供給するように構成されている。本方法は、燃焼エンジンの故障状態を検出する工程と、スタータリレーの複数回の駆動を開始する工程と、燃焼エンジンのその時々の状態が少なくとも一つの故障状態又は少なくとも一つの動作状態を表すとして、燃焼エンジンのその時々の状態を検出する工程と、その時々の状態が少なくとも一つの動作状態を表す場合に、スタータリレーの複数回の駆動を終了し、そうでない場合に、その時々の状態を新たに検出する工程とを有する。
【００２０】
有利には、スタータリレーの駆動は、更に、第一の予め決められた時間期間の間スタータリレーを閉じる工程と、次に第二の予め決められた時間期間の間スタータリレーを開く工程とを有する。
【００２１】
有利には、本方法は、更に、スタータリレーを初回に駆動する工程を有する。このスタータリレー１０２を初回に駆動する場合の第一の予め決められた時間期間が、３，０００ｍｓまでの範囲内に、有利には、５００ｍｓまでの範囲内に有る。
【００２２】
有利には、スタータリレーを複数回駆動する場合の第一の予め決められた時間期間が、１３０ｍｓ〜２３０ｍｓの範囲内に、有利には、約１８０ｍｓの範囲内に有る。
【００２３】
有利には、スタータリレーを複数回駆動する場合の第二の予め決められた時間期間が、１３０ｍｓ〜２３０ｍｓの範囲内に、有利には、約１８０ｍｓの範囲内に有る。
【００２４】
有利には、燃焼エンジンの故障状態又はその時々の状態の検出が、以下の工程の中の一つ又は複数に基づき実施される。
ア  スタータの電力消費量を検出する工程
イ  車載網の電圧の非急落を検出する工程
ウ  燃焼エンジンの回転数を検出する工程
エ  負荷オープン障害を検出する工程
【００２５】
有利には、燃焼エンジンの故障状態の検出が、以下の工程の中の一つ又は複数に基づき実施される。
ア  スタータの電力消費量がほぼゼロであることに基づき故障状態を検出する工程
イ  車載網の電圧を検出して、期待される電圧急落の欠如を確認する工程
ウ  車載網の電圧において期待される電圧急落よりも小さい電圧急落を検出する工程
エ  確認された負荷オープン障害に基づき故障状態を検出する工程
オ  燃焼エンジンの回転数がほぼゼロであることと、スタータの電力消費量がほぼゼロに等しくないこととに基づき故障状態を検出する工程
カ  スタータの電力消費量が、燃焼エンジンの正常なスタートプロセス時におけるスタータの標準的な電力消費量よりも著しく大きいことに基づき故障状態を検出する工程
【００２６】
有利には、燃焼エンジンのその時々の状態は、更に、少なくとも一つの停止状態を表し、この停止状態は、以下の工程の中の一つ又は複数に基づき検出される。
ア  スタータの複数回の駆動を開始してから、予め決められた時間限界を上回る工程であって、任意選択として、予め決められた時間期間が１５秒まで、有利には、１０秒までである工程
イ  予め決められた時間期間内にスタータの最大駆動回数を上回る工程であって、任意選択として、この最大回数が５０回以内、有利には、３０回以内であることと、予め決められた時間期間が１５秒以内、有利には、１０秒以内であることとの一つ以上である工程
ウ  使用者又はエンジン制御部により燃焼エンジンの始動に関する要求を撤回される工程
エ  燃焼エンジンの始動
ここで、本方法は、更に、その時々の状態が少なくとも停止状態を表す場合に、スタータリレーの複数回の駆動を終了する工程を含む。
【００２７】
本開示の実施構成では、更に、燃焼エンジンのスタータを駆動するシステムが規定される。このシステムは、制御機器と、電源と、制御機器と接続され、燃焼エンジンのスタータに車載網を介して電源からの電力を選択的に供給するように構成されたスタータリレーとを有する。この制御機器は、ここで開示した方法を実施するように構成される。
【００２８】
本開示の実施構成では、更に、ここで開示したシステムを備えた車両が規定される。
【００２９】
本明細書に記載された方法、装置及びシステムが、単独でも、本明細書に記載された別の方法、装置及びシステムと組み合わせても使用できることに留意すべきである。更に、本明細書に記載された方法、装置及びシステムの如何なる観点も、多様な手法で互いに組み合わせることができる。特に、請求項の特徴は、多様な手法で互いに組み合わせることができる。
【００３０】
本開示の実施例を図面に図示しており、以下において詳しく説明する。
【図面の簡単な説明】
【００３１】
【図１】本開示の実施構成に基づく燃焼エンジンのためのスタータを備えた車両の電気車載網の例のブロック接続図
【図２】本開示の実施構成に基づくスタータを作動する方法のフロー図
【発明を実施するための形態】
【００３２】
以下において、別に指摘されていない限り、同じ構成要素及び同様の構成要素に対して、同じ符号を使用している。
【００３３】
図１は、本開示の実施構成に基づく燃焼エンジン１０３のためのスタータ１０５を備えた車両の電気車載網１００の例を図示している。図１は、低ボルト車載網１００のブロック接続図を図示している。この車載網１００は、典型的には、１２Ｖ〜１４Ｖの公称電圧を有し、従って、多くの場合、１２Ｖ又は１４Ｖの車載網とも呼ばれる。それに代わって、この車載網１００は、それ以外の電圧、例えば、４８Ｖの車載網電圧を有することができる。
【００３４】
この車載網１００は、車載網１００から電気エネルギーを供給される一つ又は複数の電気消費体１０８（例えば、インフォテイメントシステム、空調設備）を有する。この車載網１００は、電気エネルギーを保存するために、一つ又は複数の電源１０６，１０７（例えば、エネルギー貯蔵器、バッテリー、蓄電池）を備えることができる。図示された例では、車載網１００は、電源１０６，１０７として、鉛蓄電池を有し、この電池は、車載網電圧をサポートするとともに、車両の燃焼エンジン１０３のスタータ１０５のための電気エネルギーを提供するために使用することができる。
【００３５】
既に冒頭で述べた通り、このスタータ１０５は、スタートプロセス時に燃焼エンジン１０３を機械的に駆動するために（そのために使用される燃焼エンジン１０３のクランクシャフトとの機械的な接続形態が図１に単に模式的に図示され、符号１０３ｍを付与されている）作動することができる。更に、図示された実施例では、車載網１００は、循環手法により大量の電気エネルギーを回収して、再び放出するように構成された回生式エネルギー貯蔵器１０７（例えば、リチウムイオンバッテリー）を有する。
【００３６】
この車載網１００は、更に、運動エネルギーを電気エネルギーに変換するために、燃焼エンジン１０３により駆動される発電機１０４を有し、電気エネルギーは、一つ又は複数の消費体１０８を動かすために使用することと、電源又はエネルギー貯蔵器１０６，１０７に保存することとの一つ以上を実施できる。発電機１０４が燃焼エンジン１０３又は車両の車輪により間接的に駆動されるエンジンブレーキ段階（例えば、山下り走行時）では、車両のエネルギー消費量を低減するために、発電機１０４によって、電気エネルギーを回生することができる。
【００３７】
この車載網１００は、更に、車載網１００の一つ又は複数のコンポーネントを駆動するように構成された制御ユニット１０１を有する。特に、この制御ユニット１０１は、スタートプロセスの枠組みにおいて燃焼エンジン１０３を動かすために、（例えば、スタートボタンを用いたイグニッションの起動による）スタート信号に反応して、スタータ１０５を駆動するように構成することができる。そのために、この制御ユニット１０１は、スタータ１０５に車載網１００から電力を供給するスタータリレー１０２を駆動することができる。燃焼エンジン１０３のスタータ１０５が始動しないこと、或いはスタートプロセスが成功しないことに、様々な原因が有り得る。多くの場合、燃焼エンジン１０３が始動しないことに関する障害がスタータ１０５に有るのではなく、電気機器の領域に有るか、或いは機械的な原因が存在する。
【００３８】
スタートの試みが成功しないことは、複数の欠点を引き起こす可能性がある。車両の使用者は、計画していたドライブを始めることができず、その使用を制限される。更に、使用者は、障害の原因を確認するか、或いは確認してもらわなければならず、それによって、更なる不都合が生じる。その後修理工場に居る時に、（例えば、障害が起こらない異なる動作条件のために）障害が再現できないこと、或いはスタータ１０５が不必要に交換されることが起こる可能性がある。多くの場合、スタートの試行が成功しない本当の原因を取り除くことは容易ではない。
【００３９】
決められた気象条件又は動作条件では、例えば、低い温度、大きな温度勾配、高い大気湿度の時、激しい降雪又は降雨の影響下及び／又はエンジン室内の激しい凝結又は湿気の発生時には、スタータリレー接点の氷結を考慮しなければならない。リレー接点の氷結が発生した場合、制御ユニット１０１によって、確かにスタータリレー１０２を駆動できるが、氷結したリレー接点が電気的な接触を実現できないので、そのリレーは、スタータ１０５と電源１００，１０６，１０７の間の電気接続を構築することができない。一方又は両方のリレー接点上に存在する氷層が、電流が流れないように接点を絶縁させる可能性が有る。その結果、そのような氷結の場合には、燃焼エンジン１０３を始動することができない。
【００４０】
別の場合には、燃焼エンジン１０３の機械的な駆動接続部１０３ｍに、スタータ１０５により燃焼エンジン１０３を回すことを妨げる機械的な妨害が生じる可能性がある。一つの妨害が、例えば、機械的な駆動接続部１０３ｍと接続されたコンポーネントのロック又は固着として生じる可能性がある。そのようにして、例えば、発電機１０４又はそれ以外の燃焼エンジン１０３により駆動されるコンポーネント（例えば、空調設備のコンプレッサー、バルブ駆動系）が機械的にロックされ、それにより、例えば、駆動ベルト又は駆動チェーンを介して燃焼エンジン１０３を同じくロックする可能性がある。その結果、そのようなロックの場合にも、燃焼エンジン１０３を始動することができない。
【００４１】
燃焼エンジン１０３が始動しないことは、例えば、所謂「負荷オープン障害」の検知によって、制御機器１０１により検出することができる。更に、制御機器１０１は、スタータ１０５による電力消費量に基づき、スタータ１０５が電力を供給されているのか否かを検出することができる。スタータ１０５による電力消費量は、例えば、直接測定するか、或いは車載網での電圧降下又は電圧急落によっても検出することができる。更に、制御機器１０１は、燃焼エンジン１０３の検出された回転数によって、機械的なロックが生じているのか否かを検出することができる。一般的には、燃焼エンジン１０３の始動しないこと及び／又はその時々の動作パラメータを検出するために、前記の方法を個別に、或いは組み合わせて適用することができる。
【００４２】
一つの例では、制御機器１０１は、スタータリレー１０２が閉じられているか、或いは閉じるために駆動されている間に、スタータ１０５の電力消費量がほぼゼロであることを検出する。この例では、スタータリレー１０２の接点の氷結又はスタータ１０５の電力供給に関するそれ以外の問題を推測することができる。既に言及した通り、それに追加して、或いはそれに代わって、車載網での電圧急落によってスタータ１０５の電力消費量を検出し、そのようにして、氷結を検知することができる。後者は、目標とする挙動、即ち、スタータ１０５が駆動された場合に、それが非常に大きな電力を奪うので、車載網の電圧が降下又は急落しているに違いないと推測することができる。電圧の急落が確認できない場合、その駆動が実現されていないとの結論になる。
【００４３】
別の例では、この制御機器１０１が、スタータの電力消費量がほぼゼロ（例えば、燃焼エンジン１０３の始動時の標準的な電力消費量）に等しくない一方、燃焼エンジン１０３の回転数がほぼゼロであることを検出する。この例では、燃焼エンジン１０３がロックしていると推測できる。それに代わって、或いはそれに追加して、この場合でも、選択的に燃焼エンジン１０３の（欠如する）回転数と組み合わせて、電圧急落を検知することができる。
【００４４】
別の例では、制御機器１０１が、スタータの電力消費量が明らかにほぼゼロに等しくないこと（例えば、標準的な電力消費量を大幅に上回る電力消費量）を検出する。この例では、選択的に更に燃焼エンジン１０３のゼロ又はほぼゼロの回転数に基づき、同じく燃焼エンジン１０３がロックしていると推測できる。
【００４５】
スタータリレー１０２の相応の駆動にも関わらず、燃焼エンジン１０３が制御機器１０１によって始動されない別の故障状態が考えられることは自明である。制御機器１０１は、更に、そのような故障状態を検出するように構成することができる。
【００４６】
制御機器が、燃焼エンジン１０３が始動しないこと（例えば、燃焼エンジン１０３の故障状態）を検出すると、スタータリレー１０２の駆動によって、それにも関わらず多くの場合に追加の構造的な措置又は手動による介入無しに、専らスタータリレー又はスタータの特別な駆動に基づき燃焼エンジン１０３の始動を可能にする措置をとることができる。
【００４７】
本開示の実施構成では、スタータリレー１０２が特別なパターンに基づき間欠的に駆動され、その結果、スタータとの電力回路を閉じる一回のクローズプロセスだけが起動されるのではなく、スタータリレーを閉じて再び開く間欠的な駆動が複数回実行される。
【００４８】
このようにして、スタータリレーが氷結した場合に、閉じる接点の機械的な作用が繰り返されることによって、氷結を壊して、ほぼ取り除くことができ、その結果、スタータ１０５は、手動による介入無しに再び電力を供給される。その場合、燃焼エンジン１０３の始動は、典型的には問題無く可能となる。
【００４９】
ロックが起こった場合、スタータ１０５の作動を繰り返すことによって、ロックを解除できる可能性がある力、一つ又は複数のパルス、振動、或いはそれらと同等の事象を機械的な駆動系統に機械的に誘発させることができる。特に、腐食（例えば、風化、錆、撒き塩又は撒き砂利による汚染）によってロックされているコンポーネントが分かった場合、スタータ１０５のそのような間欠的に繰り返される作動が、多くの場合にロックを解消することができる。
【００５０】
図２は、本開示の実施構成による燃焼エンジン１０３のスタータ１０５を駆動する方法２００のフロー図を図示している。スタータ１０５の駆動は、スタータリレー１０２を用いて行われ、このスタータリレー１０２は、スタータ１０５に選択的に電力を供給するように構成されている。この場合、スタータ１０５は、スタータリレー１０２によって、選択的に電力を供給される（即ち、リレーの動作接点が閉じられる）か、或いは電力を遮断される（即ち、リレーの動作接点が開かれる）。本方法２００は、工程２０１から始まる。任意選択の工程２０２では、エンジンの始動を試みるために、スタータリレーの初回の駆動を行うことができる。
【００５１】
工程２０４では、燃焼エンジン１０３の故障状態が検出される。この場合、燃焼エンジン１０３の故障状態は、スタートプロセス時に観測され、燃焼エンジン１０３の側、車両の電気機器（例えば、配線、バッテリー）又はスタータの故障であるとすることができる。燃焼エンジンの故障状態は、スタータ１０５の電力消費量の検出、車載網１００での電圧急落の（欠如の）検出（そのような電圧急落は、通常燃焼エンジンの平常通りの、或いは誤りの無い始動時に起こる）、燃焼エンジン１０３の回転数の検出及び負荷オープン障害の検出の中の一つに基づき検出することができる。例えば、故障状態は、スタータ１０５の電力消費量がほぼゼロであること（及び／又は車載網１００の電圧急落の欠如、上記を参照）に基づき検出することができ、この例では、おそらくスタータリレーの氷結が発生している。更に、故障状態は、例えば、確認された負荷オープン障害に基づき検出することができる（おそらく氷結又はロック）。別の例では、故障状態は、燃焼エンジン１０３の回転数がほぼゼロであることと、スタータ１０５の電力消費量がほぼゼロに等しくないこととに基づき検出することができ、この例では、おそらくロックが発生している。更に、故障状態は、スタータ１０５の電力消費量が燃焼エンジン１０３の通常のスタートプロセス時のスタータ１０５の標準的な電力消費量よりも著しく大きいことに基づき検出することができる。この例でも、おそらくロックが発生している。
【００５２】
工程２０６では、故障状態の発生が検出された後、スタータリレー１０２の複数回の駆動が開始される。スタータリレー１０２の駆動とは、一般的にリレー又はリレーの動作接点を閉じて、次に開くことを意味する。一般的に、この駆動は、駆動の規則的な開始と停止から成り、その間に、燃焼エンジン１０３がそうこうするうちに始動できた（そのため、故障状態が解消できた）のか否かの連続的な監視が行われる。この場合、接点の開閉は、予め決められたパターンに基づき行われる。
【００５３】
一般的に、スタートプロセスは、標準的な場合には、非常に迅速に実施することができる。暑い温度の場合には、５００ｍｓ未満の値となり、非常に冷たい温度の場合には、３，０００ｍｓまでの値となる可能性が有る。基本的に、前記の値は、電力回路が機能している場合に適用される、即ち、スタータ１０５は、この時間期間において、燃焼が回転モーメントを発生させ、それにより、燃焼エンジン１０３が自律的に動作できるまで駆動される。電力回路が機能していない場合、スタートプロセスは、約６００ｍｓまで観察され、その後、代替的な対策が開始される。
【００５４】
問題が有る場合、有利には、約３６０ｍｓのサイクル周期と５０％のデューティサイクルによる接点のサイクリックな開閉を行うことができる。これは、スタータリレー１０２の接点が先ずは約１８０ｍｓの時間期間の間閉じられ、次に約１８０ｍｓの時間期間の間開かれることを意味する。その後、燃焼エンジン１０３が始動しないか、或いは停止条件（例えば、時間限界、使用者による要求又は停止、エンジンの始動）が満たされない限り、このサイクルが繰り返される。
【００５５】
一般的に、前記のサイクルは、より長く、或いはより短く、例えば、同じく５０％のデューティサイクルで、５００ｍｓまで、有利には、４６０ｍｓまでのサイクル周期にすることもできる。多くの実施構成では、それ以外のデューティサイクル又はサイクル周期を用いることができる。
【００５６】
工程２０８では、燃焼エンジン１０３のその時々の状態が検出され、燃焼エンジン１０３のその時々の状態とは、少なくとも一つの故障状態又は少なくとも一つの動作状態を表す。これは、その時々の状態が依然として故障状態である（或いはそれが故障状態を含む）こと、さもなければ、その時々の状態が動作状態である（或いはそのような状態を含む）ことを意味する。前者の場合には、燃焼エンジン１０３を未だ始動できておらず（故障状態）、後者の場合には、既に始動できている（動作状態）。その時々の状態が少なくとも一つの動作状態を表す場合、工程２１０で、スタータリレー１０２の複数回の駆動が終了する。そうでない場合、停止条件（上記を参照）、特に、予め決められた時間期限に到達した場合と予め決められた時間期間内の最大駆動回数に到達した場合の中の一つが成立する（移行２０９を参照）まで（移行２０９）、その時々の状態の新たな検出２０８が行われる。ここで開示した実施構成では、予め決められた時間期限が約１５秒、有利には、約１０秒であることと、最大駆動回数が約５０サイクル（３６０ｍｓ／サイクル）、有利には、３０サイクル（３６０ｍｓ／サイクル）であることとの一つ以上である。本方法は、工程２１２で終了する。
【００５７】
ここで、車両について述べると、それは、有利には、マルチトラック自動車（乗用車、貨物自動車、運搬車）である。そのことから、本明細書の範囲内で明示的に述べた複数の利点及び当業者が後追いできる別の複数の利点が得られる。
【００５８】
有利な実施例により、本発明を詳細に詳しく図解して説明したが、本発明は、ここで開示した例によって限定されず、当業者は、本発明の保護範囲を逸脱すること無く、これらから別の変化形態を導き出すことができる。従って、多数の変化形態の可能性が存在することは明らかである。同じく、例として挙げた実施構成が、例えば、本発明の保護範囲、考えられる用途又は構成を何らかの形で制限するものであると理解するべきではない例だけを実際に表すことは明らかである。むしろ、前記の記述及び図面の説明は、当業者に、例とした実施構成を具体化することを可能にし、当業者は、本発明の開示された考えを知ると、例えば、例とした実施構成で挙げられた個々の構成要素の機能又は配置構成に関して、請求項と、例えば、明細書の先の説明などのそれらに対応する法的な内容とにより定義される保護範囲を逸脱すること無く、多彩な変化を加えることができる。
【図１】
2021529281.tif 000003
【図２】
2021529281.tif 000004
【国際調査報告】
2021529281.tif 000005
2021529281.tif 000006
2021529281.tif 000007
2021529281.tif 000008
2021529281.tif 000009
2021529281.tif 000010